(57)【特許請求の範囲】
【請求項１】
引き戸の上端側及び下端側にそれぞれ上滑動部材及び下滑動部材を設け、引き戸を構成する枠体の一部である上フレームに上滑動部材保持部となる部位を設定し、その部位に、上滑動部材の滑動部が引き戸の上端よりも上方に突出することとなる突出位置及び当該滑動部が上滑動部材保持部内にほぼ没入することとなる待機位置との間で上滑動部材を移動可能かつ移動先に係留可能に設け、上滑動部材を待機位置に係留した状態で下滑動部材を下レールに係り合わせ、その状態で上滑動部材を上動動作により使用位置に移動、係留して、当該上滑動部材の滑動部を上レールに係り合わせ得るように構成した引き戸の取付構造であって、
前記上滑動部材保持部には上下に位置して係合窓を開口し、前記上滑動部材には突出位置において上側の係合窓に係り合って待機位置において下側の係合窓に係り合う弾性変形部を設け、上滑動部材を前記突出位置と待機位置との間で背反的に移動可能かつその移動動作のみによって移動先に係留可能に構成したことを特徴とする引き戸の取付構造。
【請求項２】
前記上滑動部材が側断面視略矩形状に形成され、前記上滑動部材保持部が側断面視下向きコ字状の空間を内部に形成しており、その空間内で上滑動部材を保持するようにしている請求項１記載の引き戸の取付構造。
【請求項３】
弾性変形部は、樹脂バネにより変形可能な舌片と、その舌片の基端側に形成されて引き戸への係留部となる爪と、その舌片の先端側に形成した係留解除用の操作部とを備えている請求項１又は２記載の引き戸の取付構造。
【請求項４】
上滑動部材の使用位置で、弾性変形部の爪の下向面が前記係合窓の上向面に弾性的に係留し、その弾性反発力で上滑動部材の一部に設定した上向面が引き戸の下向面に突き当たるように構成している請求項３記載の引き戸の取付構造。
【請求項５】
上滑動部材の滑動部は引き戸の肉厚よりも薄肉であり、上レールのレール巾は引き戸の肉厚よりも巾狭かつ上滑動部材の滑動部の肉厚よりも巾広となる寸法関係に設定されている請求項１〜４の何れかに記載の引き戸の取付構造。
【請求項６】
上滑動部材の滑動部が、引き戸に係留された状態で当該引き戸の厚み方向背面側へ変位した部位に位置づけられる請求項５記載の引き戸の取付構造。
【請求項７】
上レールの前面側に少なくとも当該上レールの前方への露出を防ぐレール隠しを設け、このレール隠しに近い引き戸のうち上滑動部材の滑動部よりも前方に位置する部位をレール隠しの下方に潜り込ませて配置している請求項６記載の引き戸の取付構造。
【請求項８】
下滑動部材のうち下レールと係り合う滑動部を、上滑動部材の滑動部とほぼ同じ肉厚とし、かつ引き戸に対してほぼ同じ奥行き位置に設けている請求項５〜７の何れかに記載の引き戸の取付構造。
【請求項９】
請求項１〜８の何れかに記載の取付構造に係る上滑動部材を備えたことを特徴とする引き戸。
【請求項１０】
請求項１〜８の何れかに記載の取付構造によって引き戸を収納空間を開閉する位置に取り付けたことを特徴とする収納装置。
【発明の詳細な説明】
【技術分野】
【０００１】
本発明は、引き戸のレールへの取付作業の簡素化を図り、収納空間の奥行き内寸も極力広く確保できるようにした引き戸の取付構造、引き戸及び収納装置に関するものである。
【背景技術】
【０００２】
従来の引き戸は、上端側及び下端側にそれぞれスライダ及び車輪を配し、これらスライダ及び車輪を収納装置等の筐体の上レール及び下レールに係り合わせて、当該筐体にスライド可能に取り付けるようにしているのが通例である。
【０００３】
その取付に係る構造や方法としては、特許文献１に示すように、引き戸の上端部にスライダを突没可能に配し、このスライダを上レールに適切に係り合う高さ位置に移動させてねじにより固定するようにしたものや、図８に示すように、引き戸ａに固定したスライダｂを上レールｃに設けた孔ｄに一時的に深く呑み込ませた後、スライダｂが上レールｃから外れない範囲で引き戸ａを落とし込んで下端側に位置する図示しない車輪を下レールに係り合わせる方法（所謂けんどん方式）、さらには、図９に示すように、引き戸ｅに固定したスライダｆに予め上レール部材ｇを係り合わせ、この上レール部材ｇとともに引き戸eを筐体Ｈの所定の取付位置に移動させて、その位置で上レール部材ｇを筐体ｈに固定する方法などが採用されている。
【特許文献１】実開昭４７−１２０３８号
【発明の開示】
【発明が解決しようとする課題】
【０００４】
ところが、特許文献１のものでは、引き戸を所定位置に移動させてスライダを適宜位置に突出させた状態で背面側から工具を用いてビス止めする作業が必要になるため、作業性が極めて悪いという問題がある。また、図８に示すけんどん方式も、引き戸ａ全体を持ち上げかつ傾けた状態でスライダｂ及び図示しない車輪を上レールｃ及び図示しない下レールに順次係り合わせる作業を行わなければならないため、作業が極めて煩雑である。さらに図９に示す方法では、上レール部材ｇを複数の引き戸ｅに係り合わせたまま引き戸ｅを所定位置に移動させ、さらにその状態を保って上レール部材ｇを筐体ｈに工具を用いて固定しなければならないので、作業にさらに熟練が必要になるという問題がある。そして、工具を用いてビス止めする構造であると、メンテナンス時などに一時的に引き戸を外す際にも再度工具を使って作業を行う必要があり、逐一面倒な作業を強いられることになる。
【０００５】
一方、収納力の観点からすると、図８に示したけんどん方式は、落とし込んだ際に引き戸ａの上端とレール部材ｃ´の下面との間に隙間が生じることを極力避けるべく、一時的に引き戸ａの厚みを受容するレール巾Ｌ１をレール部材ｃ´に確保しなければならず、複数枚の引き戸ａを取り付ける際にはレール部材ｃ´の奥行き寸法が累積的に増大して収納空間Ｓの奥行き内寸（したがって収納装置の内容積）が狭められるという問題がある。また、このものはレール部材ｃ´の前方にレール隠しｋを設けて、レール隠しｋの奥にレール部材ｃ´を隠蔽しているが、この点もレール隠しｋの奥行き寸法Ｌ２分だけ収納空間Ｓの奥行き内寸ひいては収納装置の内容積が狭められる要因となる。図９に示したように予め上レール部材ｇを引き戸ｅに係り合わせる方法は、上レール部材ｇが前方に露出して意匠的に煩雑となるし、この場合にレール隠しを採用してレール隠しの奥にレール部材を配置すれば、やはり図８に示したけんどん方式におけると同様、奥行き内寸ひいては収納装置の内容積を狭める要因を持ち込むことになる。
【０００６】
本発明は、このような課題に着目してなされたものであって、先ずもって引き戸を筐体等に簡単にセットできるようにし、収納空間の内空の確保にも繋がるようにした、新規有用な引き戸の取付構造を提供することを目的としている。
【課題を解決するための手段】
【０００７】
本発明は、かかる目的を達成するために、次のような手段を講じたものである。
【０００８】
すなわち、本発明に係る引き戸の取付構造は、引き戸の上端側及び下端側にそれぞれ上滑動部材及び下滑動部材を設け、引き戸を構成する枠体の一部である上フレームに上滑動部材保持部となる部位を設定し、その部位に、上滑動部材の滑動部が引き戸の上端よりも上方に突出することとなる突出位置及び当該滑動部が上滑動部材保持部内にほぼ没入することとなる待機位置との間で上滑動部材を移動可能かつ移動先に係留可能に設け、上滑動部材を待機位置に係留した状態で下滑動部材を下レールに係り合わせ、その状態で上滑動部材を上動動作により使用位置に移動、係留して、当該上滑動部材の滑動部を上レールに係り合わせ得るように構成した引き戸の取付構造であって、前記上滑動部材保持部には上下に位置して係合窓を開口し、前記上滑動部材には突出位置において上側の係合窓に係り合って待機位置において下側の係合窓に係り合う弾性変形部を設け、上滑動部材を前記突出位置と待機位置との間で背反的に移動可能かつその移動動作のみによって移動先に係留可能に構成したことを特徴とする。
【０００９】
このように、上滑動部材を、少なくとも引き戸に対して上動可能かつその上動動作のみによって滑動部を引き戸の上端よりも上方に突出させる使用位置に係留させ得るように構成すると、引き戸を所定位置に配置し、上滑動部材を上動動作させるだけで、滑動部が上レールに係り合う使用位置に上滑動部材を係留させて引き戸のセットを完了することができる。このため、引き戸の背面側から工具等を用いて固定する操作や、けんどんのような煩わしい操作、更には引き戸を上レールとともに筐体等に取り付ける操作が不要であり、引き戸の取付作業を格段に簡素化することができる。
【００１０】
また、上滑動部材を、滑動部が引き戸内にほぼ没入することとなる待機位置に仮保持させ得ることで、引き戸の取付前に上滑動部材を引き戸に付帯させておくことができるので、出荷時や搬送時、組立時などに別途に部品管理を行う必要がなく、また、引き戸をレール等と干渉させることなく所定位置に配置し、その状態で直ちに上滑動部材を引き出すことができるので、引き戸の取付時に上滑動部材を別途準備する煩わしさも解消することができる。
【００１１】
そして、上滑動部材を、待機位置から使用位置に、また使用位置から待機位置に、それぞれ背反的に移動させて移動先に係留可能としているので、初期取付時は勿論のこと、メンテナンス時など一旦引き戸を取り外す場合等も含めて、上記と同様の作用効果の下に使い勝手を有効に向上させることができる。
【００１２】
さらに、前記上滑動部材は弾性変形部を有し、この弾性変形部を一時的に弾性変形させて引き戸に係留させ得るようにしているので、上滑動部材の係留動作を簡素な構造で有効に実現することができる。
前記上滑動部材が側断面視略矩形状に形成され、前記上滑動部材保持部が側断面視下向きコ字状の空間を内部に形成しており、その空間内で上滑動部材を保持するようにしていることが望ましい。
【００１３】
具体的な実施の態様としては、弾性変形部は、樹脂バネにより変形可能な舌片と、その舌片の基端側に形成されて引き戸への係留部となる爪と、その舌片の先端側に形成した係留解除用の操作部とを備えているものが挙げられる。
【００１４】
引き戸の良好な作動を確保するためには、上滑動部材の使用位置で、弾性変形部の爪の下向面が引き戸の上向面に弾性的に係留し、その弾性反発力で上滑動部材の一部に設定した上向面が引き戸の下向面に突き当たるように構成していることが望ましい。
【００１５】
引き戸を極力前面側に配置して当該引き戸を取り付けた収納装置における収納空間の奥行き内寸を極力広く確保し、内容積を有効に増大させるためには、上滑動部材の滑動部を引き戸の肉厚よりも薄肉とし、上レールを引き戸の肉厚よりも巾狭かつ上滑動部材の滑動部の肉厚よりも巾広となる寸法関係に設定しておくことが好ましい。
【００１６】
同様に、引き戸を極力前面側に配置して当該引き戸を取り付けた収納装置における収納空間の奥行き内寸を極力広く確保し、内容積を有効に増大させるためには、上滑動部材の滑動部を、引き戸に係留された状態で当該引き戸の厚み方向背面側へ変位した部位に位置づけておくことが好適である。
【００１７】
上レールの前面側に当該上レールの前方への露出を防ぐレール隠しを設ける場合にも、引き戸を極力前面側に配置して当該引き戸を取り付けた収納装置における収納空間の奥行き内寸を極力広く確保し、内容積を有効に増大させるためには、レール隠しに近い引き戸のうち上滑動部材の滑動部よりも前方に位置する部位をレール隠しの下方に潜り込ませて配置していることが効果的である。
【００１８】
引き戸の動作の安定化と部品点数の削減とに有効に資するためには、下滑動部材のうち下レールと係り合う滑動部を、上滑動部材の滑動部とほぼ同じ肉厚とし、かつ引き戸に対してほぼ同じ奥行き位置に設けておくことが好都合である。
【００１９】
本発明は、以上のような取付構造であるから、上記の上滑動部材を採用した引き戸を既存のレールに適用しても取付、メンテナンス時の効果を有効に得ることができ、また、上記の取付構造によって引き戸を収納空間を開閉する位置に取り付けた収納装置においては、収納力を有効に向上させることが可能となる。
【発明の効果】
【００２０】
本発明に係る引き戸の取付構造は、以上説明した構成であるから、出荷時や搬送、組立時などに引き戸の構成部品である上滑動部材を別管理する煩わしさを解消すると同時に、工具を用いることなく引き戸を筐体等に簡単にセットすることが可能となる。また、メンテナンス時などにも都度工具を用いることなく引き戸を筐体等から簡単に取り外す構成が容易に採用可能であり、収納空間の奥行き内寸を拡張する効果も容易に得ることが可能となる。
【発明を実施するための最良の形態】
【００２１】
以下、本発明の一実施形態を、図面を参照して説明する。
【００２２】
図１は、本実施形態に係る引き戸の取付構造を適用した収納装置を示しており、図２はその引き戸取付部分の部分縦断面図である。この収納装置は、頂板１１、底板１２、左右の側板１３及び背板１４を備え前面側に収納空間Ｓを開放した板金製の筐体１に、上レール部材１５及び下レール部材１６を設け、これら上レール部材１５及び下レール部材１６に、上滑動部材たるスライダ２１及び下滑動部材たる車輪２２を介して複数枚の引き戸２を引き違い可能に配したものである。
【００２３】
具体的に説明すると、上レール部材１５は、図２及び図３に示すように、下面に３条の平行な上レール１５ａを有する樹脂製のもので、筐体１の頂板１１の一部を構成する前面側の上框に設けた下向き凹状のレール取付部１１ａにねじにより取り付けられて、取付状態で下面１５ｂがその内奥に隣接する頂板１１の下面１１ｂとほぼ面一となるように設定されている。この上レール部材１５の前方には、下面１７ｂを上レール部材１５の下面１５ｂとほぼ面一とするレール隠し１７が頂板１１と一体的に設けてある。つまり、上レール部材１５は、内奥に隣接する頂板１１の下面１１ｂと前方に隣接するレール隠し１７の下面１７ｂとの間に形成される溝状の前記レール取付部１１ａに嵌め込まれる形で取り付けられる。
【００２４】
また、下レール部材１６は、図２に示すように、上面に３条の平行な下レール１６ａを有する樹脂製のもので、筐体１の底板１２の一部を構成する前面側の下框に設けた上向き凹状のレール取付部１２ａにねじにより取り付けられて、取付状態で上面１６ｂがその内奥に隣接する底板１２の上面１２ｂとほぼ面一となるように設定されている。この下レール部材１６の前方には、上面１８ｂを下レール部材１６の上面１６ｂとほぼ面一とするレール隠し１８が底板１２と一体的に設けてある。つまり、下レール部材１６は、内奥に隣接する底板１２の上面１２ｂと前方に隣接するレール隠し１８の上面１８ｂとの間に形成される溝状の前記レール取付部１２ａに嵌め込まれる形で取り付けられる。
【００２５】
一方、引き戸２は、図２〜図４に示すように、上フレーム２３及び下フレーム２４を含む枠体に面板２５を取り付けたもので、下フレーム２４の巾方向２箇所に設定した車輪保持部に回転自在に車輪２２を取り付け、上フレーム２３の巾方向２箇所に設定したスライダ保持部にスライダ２１を着脱可能に取り付けている。
【００２６】
スライダ２１は、側断面視略矩形状に形成された樹脂製のもので、スライダ本体２１ａの一部に引き戸２に対して係脱可能な弾性変形部２１ｂを有し、スライダ本体２１ａの上端側に引き戸２の肉厚よりも薄肉な板状の滑動部２１ｃを設けたものである。弾性変形部２１ｂは、スライダ本体２１ａに設けた開口２１ａｘ内に片持ち的に配置されて樹脂バネにより変形可能な舌片２１ｂ１と、その舌片２１ｂ１の基端側に突設されて引き戸２への係留部となる爪２１ｂ２と、その舌片２１ｂ１の先端側に突設した係留解除用の操作部２１ｂ３とを備えており、操作部２１ｂ３を押圧操作することによって、弾性力に抗して舌片２１ｂ１を撓ませ、爪２１ｂ２を開口２１ａｘ内に没入する方向に移動させ得るようにしている。
【００２７】
一方、引き戸２の上フレーム２３のうちスライダ保持部となる部位には、下面にスライダ本体２１ａを比較的緊密に挿入可能なスライダ挿入窓２３ａが開口し、内部に側断面視下向きコ字状の空間が形成されている。その上方における裏面の上下２箇所に係合窓２３ｂ、２３ｃが開口し、更に上面にスライダ２１の滑動部２１ｃを突没させるための突没窓２３ｄが引き戸２の裏面側に変位させて開口している。そして、図５（ａ）及び図６（ａ）にそれぞれ矢印に沿ってスライダ２１を下方から上フレーム２３のスライダ挿入窓２３ａに挿入したときに、図５（ｂ）及び図６（ｂ）に示す待機位置で舌片２１ｂ１が一時的に弾性変形して爪２１ｂ２が上フレーム２３の内空部に入り込んだ後に復元して下側の係合窓２３ｂに係り合い、このときスライダ２１は未だ滑動部２１ｃをほぼ引き戸２内に没入させた状態にあり、スライダ２１はこのような待機位置で引き戸２に係留、保持されるようにしている。また、この位置から操作部２１ｂ３を操作して舌片２１ｂ１を一時的に弾性変形させ、爪２１ｂ２を押し込んだ後にさらに上動させることによって、図５（ｃ）及び図６（ｃ）に示すように舌片２１ｂ１が復元して爪２１ｂ２が上側の係合窓２３ｃに係り合ったときに、スライダ２１は滑動部２１ｃを突没窓２３ｄを介して引き戸２から上方に突出させる使用位置で引き戸２に係留、保持されるようにしている。この使用位置で、図５（ｃ）及び図６（ｃ）に示すように弾性変形部２１ｂの爪２１ｂ２の下向面２１ｘが引き戸２を構成する上フレーム２３の係合窓２３ｃの上向面２３ｘに係留して弾性反発力により突っ張り、その弾性反発力でスライダ２１の肩部及び下端鍔部にそれぞれ設定した上向面２１ｙ、２１ｚが引き戸２を構成する上フレーム２３の上壁の下向面２３ｙ及び底壁の下向面２３ｚに突き当たった状態となるようにしている。そして、この位置からさらに操作部２１ｂ３を操作して爪２１ｂ２と係合窓２３ｃとの係り合いを解除し、スライダ２１を下動させることによって、爪２１ｂ２が下側の係合窓２３ｂに係り合った際にスライダ２１が再び待機位置に係留されるようにしている。
【００２８】
すなわち、この実施形態は、待機位置から使用位置に、また使用位置から待機位置に、それぞれスライダ２１を背反的に移動させて移動先の位置に係留させることができるものであり、さらに待機位置から操作部２１ｂ３を押圧して下動させれば、スライダ２１を引き戸２から完全に離脱させることも可能なものとなっている。
【００２９】
以上において、図２及び図７に示すように上レール部材１５の上レール１５ａのレール巾Ｌ３は、引き戸２を構成する上フレーム２３の肉厚Ｌ４よりも巾狭かつスライダ２１の滑動部２１ｃの肉厚Ｌ５よりも巾広となる寸法関係に設定され、また、図２に示す下レール部材１６の下レール１６ａのレール巾も同様、引き戸２を構成する下フレーム２４の肉厚よりも巾狭かつ車輪２２のうち下レール１６ａに係り合う滑動部２２ｃの肉厚よりも巾広となる寸法すなわちＬ３に設定されている。この車輪２２の滑動部２２ｃの肉厚は、スライダ２１の滑動部２１ｃの肉厚と等厚であるＬ５に設定されており、かつ引き戸２に対してほぼ同じ奥行き位置に設けてある。
【００３０】
したがって、図２に想像線及び矢印で示すように引き戸２を、ほぼ起立させた状態で筐体１の開口より挿入して、引き戸２の下端側に設けた車輪２２を下レール１６ａに係り合わせ、その状態で引き戸２の上端側に配したスライダ２１を上動させれば、スライダ２１を引き戸２の上端よりも上方に突出した使用位置に係留して、スライダ２１の滑動部２１ｃを上レール１５ａに係り合わせ、引き戸２の取り付けを完了することができる。図２では３枚の引き戸２が重合状態にあるが、スライダ２１を操作する際に適宜引き戸２をずらして操作を行うことができるのは言うまでもない。
【００３１】
また、このようにスライダ２１を引き戸２に係留させた際に、スライダ２１は図７に示すように引き戸２の厚み方向背面側へ変位した状態となり（換言すれば引き戸２はスライダ２１や上レール１５ａよりも前方に変位した状態となり）、レール隠し１７に近い位置の引き戸２（つまり最前面に配置される引き戸２）のうちスライダ２１の滑動部２１ｃよりも前方に位置する部位２ｍの一部が、レール隠し１５の下方に潜り込んだ状態となるように設定している。
【００３２】
以上のように、本実施形態の取付構造は、引き戸２の上端側及び下端側にそれぞれ上滑動部材であるスライダ２１及び下滑動部材である車輪２２を設け、引き戸２を構成する枠体の一部である上フレーム２３にスライダ保持部となる部位を設定し、前記引き戸２のスライダ保持部となる部位にスライダ２１の滑動部２１ｃが引き戸２の上端よりも上方に突出することとなる突出位置及び当該滑動部２１ｃがスライダ保持部内にほぼ没入することとなる待機位置との間でスライダ２１を移動可能かつ移動先に係留可能に設け、スライダ２１を待機位置に係留した状態で車輪２２を下レール１６ａに係り合わせ、その状態でスライダ２１を上動動作により使用位置に移動、係留して、当該スライダ２１の滑動部２１ｃを上レール１５ａに係り合わせ得るように構成した引き戸の取付構造であって、前記スライダ保持部には上下に位置して係合窓２３ｂ，２３ｃを開口し、前記スライダ２１には突出位置において上側の係合窓２３ｃに係り合って待機位置において下側の係合窓２３ｂに係り合う弾性変形部２１ｂを設け、スライダ２１を前記突出位置と待機位置との間で背反的に移動可能かつその移動動作のみによって移動先に係留可能に構成したものである。
【００３３】
このように、引き戸２を所定位置に配置し、上滑動部材であるスライダ２１を上動動作させるだけで、滑動部２１ｃが上レール１５ａに係り合う使用位置に係留して引き戸２のセットを完了することができるので、引き戸の背面側から工具等を用いて固定する操作や、けんどんのような煩わしい操作、更には引き戸を上レールとともに筐体等に取り付ける操作が不要であり、引き戸２の取付作業を格段に簡素化することができる。
【００３４】
また、スライダ２１を、滑動部２１ｃが引き戸２内にほぼ没入することとなる待機位置に仮保持させ得るようにしており、引き戸２の取付前にスライダ２１を引き戸２に付帯させておくことができるので、出荷時や搬送時、組立時などに別途に部品管理を行う必要がなく、また、引き戸２をレール等と干渉させることなく所定位置に配置し、その状態で直ちにスライダ２１を引き出すことができるので、引き戸２の取付時にスライダ２１を別途準備する煩わしさも解消することができる。
【００３５】
また、スライダ２１を、待機位置から使用位置に、また使用位置から待機位置に、それぞれ背反的に移動させて移動先に係留可能としているので、初期取付時は勿論のこと、メンテナンス時など一旦引き戸２を取り外す場合等も含めて、上記と同様の作用効果の下に使い勝手を有効に向上させることができる。
【００３６】
そして、スライダ保持部には上下に位置して係合窓２３ｂ，２３ｃを開口し、前記スライダ２１には突出位置において上側の係合窓２３ｃに係り合って待機位置において下側の係合窓２３ｂに係り合う弾性変形部２１ｂを設けているので、スライダ２１を移動させるだけで所定位置に背反的に係留させるという初期の動作及びそのために必要な構造を有効に実現することができる。
また、スライダ２１は側断面視略矩形状に形成され、スライダ保持部が側断面視下向きコ字状の空間を内部に形成しており、その空間内でスライダ２１を保持するようにしている。
【００３７】
弾性変形部２１ｂの具体的構造としては、樹脂バネにより変形可能な舌片２１ｂ１と、その舌片２１ｂ１の基端側に形成されて引き戸２への係留部となる爪２１ｂ２と、その舌片２１ｂ１の先端側に形成した係留解除用の操作部２１ｂ３とを備えているので、爪２１ｂ２は舌片２１ｂ１の基端側に形成されることにより一旦係留したならば引き戸２から外れにくい状態を得ることができ、操作部２１ｂ３は舌片２１ｂ１の先端側に形成されることにより小さい操作力でも舌片２１ｂ１を適切に変形させて爪２１ｂ２の係留解除を行うことができる。
【００３８】
さらに、スライダ２１の使用位置で、弾性変形部２１ｂの爪２１ｂ２の下向面２１ｘが前記係合窓２３ｃの上向面２３ｘに弾性的に係留し、その弾性反発力でスライダ２１の一部に設定した上向面２１ｙ、２１ｚが引き戸２の下向面２３ｙ、２３ｚに突き当たるように構成しているので、使用位置でスライダ２１のガタつきを抑えて、引き戸２にブレの少ない適切な取付状態及び作動状態を実現することができる。
【００３９】
一方、図７に示したように、スライダ２１の滑動部２１ｃの肉厚Ｌ５は引き戸２の肉厚Ｌ４よりも薄肉であり、上レール１５ａのレール巾Ｌ３は引き戸２の肉厚Ｌ４よりも巾狭かつスライダ２１の滑動部２１ｃの肉厚Ｌ５よりも巾広となる寸法関係に設定されていて、本実施形態の構造においては上レール１５ａは図８の従来例のようには引き戸２の肉厚Ｌ４を受容する必要がなく、レール巾Ｌ３が巾狭なもので足りる（つまり、Ｌ３＜Ｌ１）ので、特に複数枚の引き戸２を引き違い可能に配する上で、レール部材１５全体の奥行き寸法を抑え、各引き戸２をより前面側に出して密接に重合させて配置することができる。すなわち、引き戸２が前面側に位置するほど筐体１の収納空間Ｓの奥行き内寸が広くとれるので、収納装置の内容量を有効に増大させることができる。
【００４０】
加えて、図７に示したように、スライダ２１の滑動部２１ｃが、引き戸２に係留された状態で当該引き戸２の厚み方向背面側へ変位した部位に位置づけられるので、図８に示したごとく引き戸の厚み方向中心部に滑動部を位置づける場合に比して、この点でも引き戸２を全体的に極力前面側に位置づけることができ、これにより収納空間Ｓの奥行き内寸をより広く確保して、収納装置の内容量を有効に増大させることができる。
【００４１】
また、図７に示したように、上レール１５ａの前面側に少なくとも当該上レール１５ａの前方への露出を防ぐレール隠し１７を設けているので、意匠的な外観を良好に保つことができ、さらに、このレール隠し１７に近い引き戸２のうちスライダ２１の滑動部２１ｃよりも前方に位置する部位２ｍをレール隠し１７の下方に潜り込ませて配置しているので、図８に示したようにレール隠し１７の奥に引き戸２が配置される場合に比して、レール隠し１７の奥行き寸法分がそのまま収納空間Ｓの奥行き内寸に影響を及ぼすということがなくなり（つまり潜り込んで重合する分だけ奥行き内寸が大きくなることになり）、この点でも引き戸２を全体的に極力前面側に位置づけて収納空間Ｓの奥行き内寸を確保し、収納装置の内容量を有効に増大させることができる。
【００４２】
さらにまた、車輪２２のうち下レール１６ａと係り合う滑動部２２ｃをスライダ２１の滑動部２１ｃとほぼ同じ肉厚とし、かつ引き戸２に対してほぼ同じ奥行き位置に設けているので、上下の滑動部２１ｃ、２２ｃのバランスが保てて引き戸２の動作が安定するとともに、上下のレール部材１７、１８が上下対称な断面形状となって部品の共用化を図ることも可能となる。
【００４３】
そして、本実施形態の引き戸２は、以上のような上滑動部材たるスライダ２１を備えることによって、取り付けやメンテナンスの便が向上するほか、既存のレールにも有効に適用が可能となり、また、本実施形態の収納装置は、以上の取付構造を通じて引き戸２を取り付ける構造とすることによって、収納力を有効に高めることが可能となる。
【００４４】
なお、上滑動部材に車輪を採用したり、下滑動部材にスライダを採用するなど、各部の具体的な構成は上述した実施形態のみに限定されるものではなく、本発明の趣旨を逸脱しない範囲で種々変形が可能である。
【図面の簡単な説明】
【００４５】
【図１】本発明の一実施形態に係る収納装置の斜視図。
【図２】図１のレール部分を示す部分拡大縦断面図。
【図３】同実施形態に係る引き戸の取付構造を示す斜視図。
【図４】同実施形態の上滑動部材であるスライダの引き戸への係留構造を示す部分拡大斜視図。
【図５】同実施形態に係るスライダの機能を説明するための側断面図。
【図６】同背面図。
【図７】同実施形態の作用説明図。
【図８】従来の引き戸の取付方法を示す図。
【図９】従来の引き戸の他の取付方法を示す図。
【符号の説明】
【００４６】
１…筐体
２…引き戸
１５ａ…上レール
１６ａ…下レール
１７…レール隠し
２１…上滑動部材（スライダ）
２１ｂ…弾性変形部
２１ｂ１…舌片
２１ｂ２…爪
２１ｂ３…操作部
２１ｃ…滑動部
２１ｘ…爪の下向面
２１ｙ、２１ｚ…スライダの上向面
２２…下滑動部材（車輪）
２２ｃ…滑動部
２３ｘ…引き戸の上向面
２３ｙ、２３ｚ…引き戸の下向面
Ｌ３…レール巾
Ｌ４…引き戸の肉厚
Ｌ５…スライダの肉厚
【図１】
0005339263.tif 000002
【図２】
0005339263.tif 000003
【図３】
0005339263.tif 000004
【図４】
0005339263.tif 000005
【図５】
0005339263.tif 000006
【図６】
0005339263.tif 000007
【図７】
0005339263.tif 000008
【図８】
0005339263.tif 000009
【図９】
0005339263.tif 000010